(57)【要約】      （修正有）【課題】デジタル放送信号のレート変換を行っても、レート変換前に設定したチャプタをレート変換後も利用可能とする。【解決手段】符号化デジタル信号の入力を受け付けるチューナ２と、符号化装置が符号化デジタル信号を符号化したときの、時刻情報を再生する時刻情報再生部６と、符号化デジタル信号を復号する復号部９と、復号されたデジタル信号を再符号化する符号部１０と、再符号化されたデジタル信号における映像データの符号化単位を示す情報符号化単位情報を検出する映像データ検出部１１と、検出された符号化単位情報を順次受け取り、それぞれの符号化単位情報と、符号化単位情報を受け取ったタイミングにおける時刻情報再生部６により再生された時刻情報とを関連付けた再生制御情報を作成するリスト生成部１６と、再符号化されたデジタル信号と、再生制御情報作成手段により作成された再生制御情報とを記録媒体に格納する書き込み部１５とを備える。【選択図】図１
2010063133.tif 000002
【特許請求の範囲】
【請求項１】
符号化デジタル信号の入力を受け付ける受け付け手段と、
符号化装置が前記符号化デジタル信号を符号化したときの、前記符号化装置における時刻情報を再生する時刻情報再生手段と、
前記符号化デジタル信号を復号する復号化手段と、
前記復号化手段により復号されたデジタル信号を再符号化する符号化手段と、
前記符号化手段により再符号化されたデジタル信号における映像データの符号化単位を示す情報符号化単位情報を検出する検出手段と、
前記検出手段が検出した前記符号化単位情報を順次受け取り、それぞれの符号化単位情報と、当該符号化単位情報を受け取ったタイミングにおける前記時刻情報再生手段により再生された時刻情報とを関連付けた再生制御情報を作成する再生制御情報作成手段と、
前記符号化手段により再符号化されたデジタル信号と、前記再生制御情報作成手段により作成された再生制御情報とを記録媒体に格納する格納手段とを備えるデジタル放送受信装置。
【請求項２】
前記時刻情報再生手段が再生する時刻情報は、ＭＰＥＧシステムにおけるＰＣＲ（Program Clock Reference）またはＳＣＲ（System Clock Reference）を利用することにより再生されることを特徴とする請求項１に記載のデジタル放送受信装置。
【請求項３】
前記符号化手段は、前記入力された符号化デジタル信号と同等またはそれより低いレートで再符号化することを特徴とする請求項１に記載のデジタル放送受信装置。
【請求項４】
前記符号化単位情報は、シーケンスヘッダ、ＧＯＰ（Group of Picture）、Ｉ（Intra）ピクチャ、Ｐ（Predictive）ピクチャ及びＢ（Bidirectionally）ピクチャのうちのいずれかであることを特徴とする請求項１に記載のデジタル放送受信装置。
【請求項５】
前記時刻情報再生手段が再生する時刻情報は、ＳＴＣ（System Time Clock）であり、
前記再生制御情報作成手段は、それぞれの符号化単位情報を受け取ったタイミングにおけるＳＴＣカウント値、或いは当該ＳＴＣカウント値に所定のオフセット値を加えたものを、それぞれの符号化単位情報と関連づけることを特徴とする請求項１に記載のデジタル放送受信装置。
【請求項６】
前記格納手段は、前記符号化手段により再符号化されたデジタル信号及び前記再生制御情報を、同一の記録媒体に格納することを特徴とする請求項１に記載のデジタル放送受信装置。
【発明の詳細な説明】
【技術分野】
【０００１】
本発明は、放送番組の録画、再生が可能なデジタル放送受信装置に関する。
【背景技術】
【０００２】
近年、世界的にＴＶ放送のアナログ方式からデジタル方式への移行が推進されている。日本においても、デジタル方式によるＣＳ放送及び、ＢＳ放送が既に開始され、地上デジタル放送も一部の地域で開始された。今後、全てのＴＶ放送がデジタル方式へ移行される予定である。このような状況と、ハードディスクドライブ(以降、ＨＤＤ)の低価格・大容量化を背景に、デジタル放送受信機にＨＤＤを内蔵してデジタル放送番組をＭＰＥＧ２−ＴＳ（Moving Picture Experts Group Phase 2 - Transport Stream）形式のまま、或いはパーシャルＴＳ形式に変換して記録・再生する技術が開示されている（例えば、特許文献１参照）。
【０００３】
また、一般的にＨＤＤは、ＤＶＤ（Digital Versatile Disc）などの光ディスクなどに比べ記憶容量が大きいことから、多くの番組を記録することが可能である。多くの番組が記録された場合、ユーザからチャプタの設定を行う、あるいは再生順序を編集したいという要望が多くなるが、これに応える技術が開示されている（例えば、特許文献２参照）。
【０００４】
さらに、前述のように、ＴＳ形式でＨＤＤに記録する場合には、特に番組が高品位画質の場合に高レートでの記録となり、低レートの長時間録画に対応できない課題を解決する技術が開示されている（例えば、特許文献３参照）。
【０００５】
また、最近、視聴者が録画した放送番組の中から、メタデータに基づいて所定のシーンだけを集めて再生するなどして、デジタル放送番組を２次的に利用することが提案されている。メタデータには、対象とされる放送番組を特定する情報と、その再生位置を示す再生位置情報が記述されており、その再生位置情報は、そのデジタル放送番組の録画開始時刻からの相対時刻、或いは絶対時刻により記述されている。このメタデータに基づいて再生することにより、記録済みの番組を利用し、例えば、コマーシャルスキップなどの視聴制御を行うことができる技術が開示されている（例えば、特許文献４参照）。
【先行技術文献】
【特許文献】
【０００６】
【特許文献１】特開２００３−９０８５号公報（第１７頁、第１図）
【特許文献２】特開２００２−１５２６６５号公報（第１６頁、第１０図）
【特許文献３】特開２００３−１０１９５２号公報（第６頁、第１図）
【特許文献４】特開２００３−１５３２０３号公報（第８頁、第１図）
【発明の概要】
【発明が解決しようとする課題】
【０００７】
ところが、従来のＨＤＤを内蔵したデジタル放送受信装置において以下の課題がある。つまり、前述の公知技術に基づいてＴＳ形式でデジタル放送の番組をＨＤＤに記録した後、記録済み番組の任意の位置にチャプタ設定を行う。その番組をレート変換により低レートに変換しＨＤＤに記録する場合、レート変換後の低レートの映像データにレート変換前に設定したチャプタ位置を精度よく受け継ぐことが不可能であった。また、レート変換後の低レートの映像データに対してレート変換前に使用していたメタデータをそのまま利用して精度よく視聴制御を行うことが不可能であった。
【０００８】
一般的に、動画圧縮した映像データをＨＤＤに記録する場合は、映像の動画圧縮を行うためのグループ単位であるＧＯＰ（Group of Picture）がＨＤＤ上の何処に記録されているかを示す位置情報に基づき管理される。そのため、設定したチャプタは、この位置情報と関連付けて管理され、例えば、記録開始から何番目のＧＯＰにチャプタを設定したなどのように管理を行っている。このメタデータを利用した視聴制御もまた、前述の位置情報を用いて制御される。例えば、メタデータに記載されている再生位置情報に基づき、記録開始から何番目のＧＯＰから再生するかなどのように再生制御を行っている。
【０００９】
しかし、従来技術では、レート変換前後それぞれの映像データでＧＯＰの構成が必ずしも同じではない。その結果、前述のように管理されたチャプタは、レート変換前後でチャプタ設定位置にずれが生じ、高レートの映像データに設定したチャプタをレート変換後の低レートの映像データへ精度よく受け継ぐことができなかった。また、同じ理由から、レート変換後の映像データに対して、メタデータを用いて精度よく視聴制御を行うことができなかった。
【００１０】
そこで、本発明の目的は、デジタル放送信号のレート変換を行っても、レート変換前に設定したチャプタをレート変換後も利用可能とするための技術を提供することである。
【００１１】
本発明の他の目的は、デジタル放送信号のレート変換を行ったときに、レート変換前に作成したメタデータをレート変換後も利用可能とするための技術を提供することである。
【課題を解決するための手段】
【００１２】
本発明の一実施態様に従うデジタル放送受信装置は、符号化デジタル信号の入力を受け付ける受け付け手段と、符号化装置が前記符号化デジタル信号を符号化したときの、前記符号化装置における時刻情報を再生する時刻情報再生手段と、前記符号化デジタル信号を復号する復号化手段と、前記復号化手段により復号されたデジタル信号を再符号化する符号化手段と、前記符号化手段により再符号化されたデジタル信号における映像データの符号化単位を示す情報符号化単位情報を検出する検出手段と、前記検出手段が検出した前記符号化単位情報を順次受け取り、それぞれの符号化単位情報と、当該符号化単位情報を受け取ったタイミングにおける前記時刻情報再生手段により再生された時刻情報とを関連付けた再生制御情報を作成する再生制御情報作成手段と、前記符号化手段により再符号化されたデジタル信号と、前記再生制御情報作成手段により作成された再生制御情報とを記録媒体に格納する格納手段とを備える。
【００１３】
好適な実施形態では、前記時刻情報再生手段が再生する時刻情報は、ＭＰＥＧシステムにおけるＰＣＲ（Program Clock Reference）またはＳＣＲ（System Clock Reference）
を利用することにより再生されるようにしてもよい。
【００１４】
好適な実施形態では、前記符号化手段は、前記入力された符号化デジタル信号と同等またはそれより低いレートで再符号化するようにしてもよい。
【００１５】
好適な実施形態では、前記符号化単位情報は、シーケンスヘッダ、ＧＯＰ（Group of Picture）、Ｉ（Intra）ピクチャ、Ｐ（Predictive）ピクチャ及びＢ（Bidirectionally
）ピクチャのうちのいずれかであってもよい。
【００１６】
好適な実施形態では、前記時刻情報再生手段が再生する時刻情報は、ＳＴＣ（System Time Clock）である。そして、前記再生制御情報作成手段は、それぞれの符号化単位情報を受け取ったタイミングにおけるＳＴＣカウント値、或いは当該ＳＴＣカウント値に所定のオフセット値を加えたものを、それぞれの符号化単位情報と関連づけてもよい。
【００１７】
好適な実施形態では、前記格納手段は、前記符号化手段により再符号化されたデジタル信号及び前記再生制御情報を、同一の記録媒体に格納するようにすることもできる。
【図面の簡単な説明】
【００１８】
【図１】デジタル放送受信装置の構成を示すブロック図である。
【図２】位置情報リストの内容の具体例を示す図である。
【図３】チャプタ設定情報と位置情報リストを関連付けた具体例を示す図である。
【図４】位置情報リストの内容の別の具体例を示す図である。
【図５】レート変換ダビング記録時の位置情報リストの内容の具体例を示す図である。
【図６】符号部１０の遅延時間を考慮した位置情報リストの内容の具体例を示す図である。
【図７】レート変換記録モードの処理手順を示すフローチャートである。
【図８】レート変換ダビングモードの処理手順を示すフローチャートである。
【図９】録画モードの処理手順を示すフローチャートである。
【発明を実施するための形態】
【００１９】
以下、図面を参照して本発明の実施の形態を詳細に説明する。図１は、本発明の一実施形態に係るデジタル放送受信装置の機能構成を示すブロック図である。図１において、デジタル放送受信装置１は、チューナ２、伝送路復号部３、選択部４Ａ、４Ｂ、４Ｃ、分離部(例えばデマルチプレクサ)５、時刻情報再生部６、ユーザインタフェース部(例えば入力装置としてキーボード又はマウス又はリモコン、出力装置としてＣＲＴ（Cathode Ray Tube）又はＬＣＤ（Liquid Crystal Display）又はＰＤＰ（Plasma Display Panel）を利用した表示装置及びスピーカなどによる音声出力装置)７、制御部(例えばＣＰＵ)８、復号部(例えばＭＰＥＧデコーダ)９、符号部(例えばＭＰＥＧエンコーダ)１０、映像データ検出部１１、リスト解析部１２、読み出し部１３、記録媒体(例えばハードディスク又はメモリ又は光ディスク又は光磁気ディスク)１４、書き込み部１５、及びリスト生成部１６を備える。
【００２０】
制御部８は、図示しないバス部でデジタル放送受信装置１内の各部と接続されており、デジタル放送受信装置１全体の動作を制御する。また、この際にユーザインタフェース部７のリモコンなどを介してユーザから種々な命令信号を受け、その命令信号に基づいて図示しないバス部を介して接続された各構成要素を制御することで、種々の機能を実現する。また、制御部８はチャプタによる再生制御、或いはメタデータによる再生制御などの制御についても、ユーザインタフェース部７のリモコンなどを介してユーザから命令信号を受け、その命令信号に基づいてデジタル放送受信装置１を制御する。
【００２１】
ここで、メタデータには、対象とするデジタル放送番組を特定する情報と、その再生位置を示す再生位置情報が記述されている。そして、本実施形態に係るデジタル放送受信装置では、視聴者が録画したデジタル放送番組の中から、このメタデータに基づいて所定のシーンだけを集めて再生するなどして、デジタル放送番組を２次的に利用することができる。メタデータに含まれる再生位置情報は、そのデジタル放送番組の絶対時刻により記述されている。このメタデータに基づいて再生することにより、記録済みの番組を利用し、例えば、ダイジェスト再生などの視聴制御を行うことができる。
【００２２】
チューナ２は、図示しない放送局のデジタル放送ソースから、衛星・地上・ケーブルなどの放送伝送網を介してデジタル放送信号を受信し、ユーザインタフェース部７のリモコンなどのユーザ操作部及び制御部８を介して指定されたチャンネルの周波数に選局及び検波処理を施した後、ベースバンド信号を伝送路復号部３へ出力する。
【００２３】
伝送路復号部３は、チューナ２からの選局及び検波処理後の信号に対してデジタル復調及び誤り訂正処理を施した後のＭＰＥＧ２―ＴＳを、選択部４Ａへ出力する。選択部４Ａは、制御部８からの制御にしたがい２入力１出力の選択処理を行い、その出力を分離部５へ出力する。
【００２４】
分離部５は、ユーザインタフェース部７のリモコンなどのユーザ操作部及び制御部８を介して指定されたチャンネルのトランスポートパケットを、入力されたＭＰＥＧ２―ＴＳから分離し、分離されたトランスポートパケットを選択部４Ｂへ出力する。さらに、ユーザインタフェース部７のリモコンなどのユーザ操作部及び制御部８を介して指定されたチャンネルのトランスポートパケットから、映像と音声のＰＥＳ(Packetized Elementary Stream)又はＥＳ(Elementary Stream)を抽出し、復号部９へ出力する。また、トランスポートパケット、或いは映像のＰＥＳ又はＥＳを抽出し、選択部４Ｃへ出力する。さらに、分離部５は、ＰＣＲ（Program Clock Reference）を抽出し、時刻情報再生部６へ出力する。
【００２５】
時刻情報再生部６は、ＰＣＲを利用し、放送局側の符号部のシステム・クロックと受信側の復号部のシステム・クロックと周波数の一致したＳＴＣを再現する。つまり、時刻情報再生部６は、放送局側の符号化装置において符号化したときのＳＴＣを再現するものである。ここで再現されたＳＴＣカウント値は、復号部９及びリスト生成部１６へ出力される。
【００２６】
復号部９は、分離部５からの映像及び／又は音声のＰＥＳ又はＥＳを、そのＤＴＳ、或いはＰＴＳと時刻情報再生部６からのＳＴＣ（System Time Clock）カウント値を比較し復号・表示タイミングを取ることにより復号し、復号された映像及び／又は音声は、符号部１０及びユーザインタフェース部７へ出力される。
【００２７】
符号部１０は、復号された映像及び／又は音声を再符号化し、例えば、ＭＰＥＧ２―ＴＳ、或いはトランスポートパケットを構築し、選択部４Ｂ及び選択部４Ｃへ出力する。このとき、復号部９で復号される前とは異なるレートで符号化することにより、レート変換が行われる。
【００２８】
選択部４Ｂは、制御部８からの制御に従って２入力１出力の選択処理を行い、その出力を書き込み部１５へ出力する。
【００２９】
ユーザインタフェース部７は、復号された映像及び／又は音声を出力装置である表示装置及び／又は音声出力装置にて表示及び／又は再生する。
【００３０】
選択部４Ｃは、制御部８からの制御に従って２入力１出力の選択処理を行い、その出力を映像データ検出部１１へ出力する。
【００３１】
映像データ検出部１１は、選択部４Ｃで選択された出力であるＭＰＥＧ２―ＴＳ、トランスポートパケット、或いは映像のＰＥＳ又はＥＳから映像データの動画圧縮を行うための符号化単位であるシーケンスヘッダ及び／又はＧＯＰ（Group of Picture）、或いはＩ（Intra）ピクチャを検出し、その結果をリスト生成部１６へ出力する。
【００３２】
ここで、ＧＯＰとは、動画圧縮を行うための映像データグループ単位のことであり、例えば、０．５秒の動画像表示に必要な枚数（約１５枚）のピクチャ一によってＧＯＰの１グループ単位が構成される。各グループ単位には、１枚のＩピクチャが先頭に含まれる。これにより、ストリーム上の任意のＧＯＰから再生を開始することが可能となる。各ＧＯＰの直前にはシーケンスヘッダが付けられており、シーケンスヘッダに基づいて記録媒体１４に記録された映像データの再生開始位置を決定することができる。
【００３３】
リスト生成部１６は、時刻情報再生部６、映像データ検出部１１、及び後述する書き込み部１５からの情報を基に後述する位置情報リストを作成し、書き込み部１５へ出力する。ここで、位置情報リストには、映像データ検出部１１によって生成される映像データにおける符号化単位である各シーケンスヘッダ、ＧＯＰ、或いはＩピクチャの位置を示す、記録先頭に位置するシーケンスヘッダからのデータの位置情報（例えば転送バイト数）と、各シーケンスヘッダ等の時刻情報（例えばＳＴＣカウント値）とを含む。ここで、シーケンスヘッダ等の時刻情報には、時刻情報再生部６により再生された時刻情報が用いられる。リスト生成部１６が映像データ検出部１１から映像データのシーケンスヘッダ等の検出の通知を受けると、検出されたシーケンスヘッダ等と、その通知を受信したタイミングで時刻情報再生部６から受信した時刻情報とを対応付けて、位置情報リストを生成する。これにより、レート変換後の映像データの符号化単位の位置情報が、放送局側の符号化装置の時刻情報を再現した時刻情報と対応付けられることになる。
【００３４】
書き込み部１５は、選択部４Ｂで選択されたトランスポートパケットを記録媒体１４に記録する処理を行うと共に、リスト生成部１６で生成された後述する位置情報リストを記録媒体１４に記録する。
【００３５】
図２に、映像データの各シーケンスヘッダ及びＧＯＰと対応付けされて記録媒体１４に記録されている各位置情報リストの具体的な例を示す。例えば、図２の例では、位置情報リスト１００は、ＳＴＣカウント値１１０と、転送バイト数１２０と、データ形式１３０とをデータ項目として含む。
【００３６】
各シーケンスヘッダ、各ＧＯＰ及び各ピクチャには、ＭＰＥＧ２の規格に従って、映像データにおけるそれぞれの先頭位置を示す開始コード、及び各ピクチャのタイプを示すＰＣＴ(Picture Coding Type)コードが含まれている。映像データ検出部１１がこの開始コード及びＰＣＴコードを検出する。そして、映像データの先頭から各シーケンスヘッダ、各ＧＯＰ、或いはＩピクチャの開始点及び終点までバイト数をカウントして、この情報を基にリスト生成部１６が転送バイト数１２０に設定する。
【００３７】
ここで、位置情報を示す転送バイト数１２０の代わりに転送トランスポートパケット数で示すようにしてもよい。また、時刻情報であるＳＴＣカウント値１１０は、直前のシーケンスヘッダ、ＧＯＰ或いはＩピクチャにおけるＳＴＣカウント値との差分値で示すようにしてもよい。
【００３８】
また、位置情報リスト１００には、図４に示すように、Ｐ（Predictive）ピクチャ、及びＢ（Bidirectionally）ピクチャの情報も含めるようにてもよい。このようにすれば、位置情報リスト１００を利用した再生制御を行う場合に、より精度の高い再生制御を行えるようになる。
【００３９】
このような位置情報リスト１００によれば、再生された放送局側の符号化装置における時刻情報が含まれているので、放送局側で予め用意したメタデータがそのまま利用可能となる。つまり、特殊再生時のシーケンスヘッダ、ＧＯＰ、Ｉピクチャ等の検索を容易に行うことができる。これにより、直接映像データをスキャン・解析して特殊再生を実施した場合と比較して効率よく特殊再生が可能となる。又、通常再生や特殊再生中に、ストリーム中の再生時間や残りの再生時間を算出可能であり、ユーザは現在の再生時間やストリームの終了までの再生時間を知ることができる。さらに、例えば図３に示すように、位置情報リスト１００には、ユーザが設定したチャプタ位置を示すチャプタ設定情報１４０をさらにデータ項目として備えてもよい。これにより、ユーザが設定したチャプタからの再生が容易に行える。また、メタデータによる再生位置がその対象番組の絶対時刻、例えばＳＴＣカウント値により指定される場合には、位置情報リストを利用することにより効率よく迅速な再生制御を行える。
【００４０】
読み出し部１３は、まず、位置情報リスト１００を記録媒体１４から読み出し、リスト解析部１２へ出力する。
【００４１】
リスト解析部１２は、位置情報リスト１００に基づいて、記録媒体１４上における所望のトランスポートパケットの記録位置を特定する。そして、読み出し部１３に対して、所望のトランスポートパケットを記録媒体１４から次々に読込みさせ、読込んだトランスポートパケットを選択部４Ｂへ出力するよう制御する。
【００４２】
尚、記録媒体１４に記録されるトランスポートパケットは、チューナ２、伝送路復号部３、選択部４Ａ、分離部５によって分離・抽出されたものに限らず、図示しないＩＥＥＥ１３９４インターフェース、無線ＬＡＮ、インターネット等を介して外部機器から入力されたトランスポートパケットであってもよい。
【００４３】
また、上記の実施形態は、ＭＰＥＧ２―ＴＳ形式による処理の一例について説明したが、ＭＰＥＧ２―ＰＳ（Moving Picture Experts Group Phase 2 - Program Stream）形式の場合においても適用可能である。この場合、時刻情報再生部６は、ＳＣＲ（System Clock Reference）を利用し、復号部のシステム・クロックを再現する。
【００４４】
次に、図１に示すデジタル放送受信装置１が行う記録処理について、図７のフローチャートを用いて説明する。最初に、デジタル放送番組をリアルタイムに受信しながらレート変換記録するレート変換記録モードの場合について説明する。
【００４５】
ユーザインタフェース部７のリモコンなどのユーザ操作部をユーザが操作して、レート変換記録モードを指定すると、制御部８は、選択部４Ａ，４Ｂ，４Ｃを以下のように設定する（Ｓ１１）。つまり、選択部４Ａは分離部５に対して伝送路復号部３の出力を出力するように設定する。選択部４Ｂは書き込み部１５に対して符号部１０の出力を出力するように設定し、選択部４Ｃは映像データ検出部１１に対して符号部１０の出力を出力するように設定する。
【００４６】
この状態でデジタル放送番組の受信を開始すると、チューナ２、伝送路復号部３で処理されたＭＰＥＧ２―ＴＳは、選択部４Ａを介して分離部５へ出力される（Ｓ１２）。
【００４７】
分離部５は、ＰＣＲを抽出して時刻情報再生部６へ、映像と音声のＰＥＳ又はＥＳを抽出して復号部９へそれぞれ出力する（Ｓ１３）。
【００４８】
時刻情報再生部６は、ＰＣＲを利用し、放送局側の符号部のシステム・クロックとデジタル放送受信装置１のシステム・クロックと周波数の一致したＳＴＣを再現し、そのＳＴＣカウント値を復号部９及びリスト生成部１６へ出力する（Ｓ１４）。
【００４９】
復号部９は、分離部５からの映像及び／又は音声のＰＥＳ又はＥＳを、そのＤＴＳ、或いはＰＴＳと時刻情報再生部６からのＳＴＣカウント値を比較して復号・表示タイミングを取ることにより復号する。そして、復号された映像及び／又は音声は、符号部１０及びユーザインタフェース部７へ出力される（Ｓ１５）。
【００５０】
符号部１０は、復号された映像及び／又は音声を再符号化し、例えば、ＭＰＥＧ２―ＴＳ、或いはトランスポートパケットを構築し、選択部４Ｂを介して書き込み部１５及び選択部４Ｃを介して映像データ検出部１１へ出力する（Ｓ１６）。
【００５１】
映像データ検出部１１は、符号部１０の出力であるＭＰＥＧ２―ＴＳ、或いはトランスポートパケットから映像データの動画圧縮を行うためのグループ単位であるシーケンスヘッダ及び／又はＧＯＰ、或いはＩピクチャを検出し、その結果をリスト生成部１６へ出力する（Ｓ１７）。
【００５２】
リスト生成部１６は、時刻情報再生部６、映像データ検出部１１、及び後述する書き込み部１５からの情報を基に例えば図５に示す位置情報リストを作成し、書き込み部１５へ出力する（Ｓ１８）。
【００５３】
書き込み部１５は、符号部１０からのＭＰＥＧ２―ＴＳ、或いはトランスポートパケットを記録媒体１４に記録する処理を行うと共に、リスト生成部１６で生成された位置情報リストを記録媒体１４に記録する（Ｓ１９）。
【００５４】
尚、上記説明において、位置情報リストを作成する場合に、時刻情報再生部６のＳＴＣカウント値をそのまま用いているが、復号部９、或いは符号部１０における映像と音声の復号時、或いは符号時に発生する遅延時間を補正するために、図６に示すようにＳＴＣカウント値に所定の補正値（オフセット値）αを加えるとさらに好ましい。
【００５５】
以上のようにして、レート変換後の映像データの位置情報リストが生成され、レート返還後の映像データがこの位置情報リストと併せて記録媒体１４に格納される。ここで、位置情報リストでは、レート変換後の映像データにおける各シーケンスヘッダ及び／又はＧＯＰ、或いはＩピクチャの位置を、記録先頭に位置するシーケンスヘッダからのデータの転送バイト数で示した位置情報、及びデジタル放送番組受信時のＳＴＣカウント値を示した時刻情報で示している。この結果、前述のメタデータによる再生位置情報がその対象番組の絶対時刻、例えばＳＴＣカウント値により指定される場合には、ここで作成した位置情報リストを利用することにより効率よく迅速な再生制御を行える。
【００５６】
デジタル放送番組の受信時にレート変換を行って記録媒体１４に格納するレート変換記録モードの手順は、上記の通りであるが、次は、受信したときにレート変換をせず、そのまま記録媒体１４に格納されたデジタル放送番組を、再生しながらレート変換ダビング記録するレート変換ダビングモードの場合の処理について、図８のフローチャートを用いて説明する。
【００５７】
ユーザインタフェース部７のリモコンなどのユーザ操作部をユーザが操作して、レート変換ダビングモードを指定すると、制御部８は選択部４Ａ，４Ｂ，４Ｃを以下のように設定する（Ｓ２１）。つまり、選択部４Ａは読み出し部１３の出力を出力し、選択部４Ｂは符号部１０を出力するようにし、選択部４Ｃは符号部１０を出力するように設定される。
【００５８】
この状態で、読み出し部１３が記録媒体１４からＭＰＥＧ２―ＴＳを読み出し、選択部４Ａを介して分離部５へ出力する（Ｓ２２）。
【００５９】
これ以降は、レート変換記録モードのステップＳ１３以降と同様の手順で処理を行う。
【００６０】
以上のようにして、レート変換ダビング処理により、記録媒体１４から読み出されてレート変換された映像データの位置情報リストが生成され、この位置情報リストと併せてレート変換後の映像データが記録媒体１４に格納される。レート変換ダビングモードの位置情報リストでは、レート変換ダビング記録（再符号化）時の映像データにおける各シーケンスヘッダ及び／又はＧＯＰ、或いはＩピクチャの位置を、記録先頭に位置するシーケンスヘッダからのデータの転送バイト数で示した位置情報、及びデジタル放送番組受信時のＳＴＣカウント値を示した時刻情報で示している。この結果、記録媒体１４に既に記録されているデジタル放送番組にチャプタが設定されている場合は、レート変換ダビング記録後もチャプタ設定を継承することができる。なぜならば、時刻情報再生部６では、レート変換前のＳＴＣカウント値と同様のＳＴＣカウント値を得ることができるので、レート変換ダビング処理により作成された位置情報リストに格納されているＳＴＣカウント値は、レート変換前のＳＴＣカウント値と実質的に同一とみなせるからである。
【００６１】
また、前述のメタデータによる再生位置情報がその対象番組の絶対時刻、例えばＳＴＣカウント値により指定される場合には、本位置情報リストを利用することにより効率よく迅速な再生制御を行える。
【００６２】
最後に、デジタル放送番組をリアルタイムに受信しながら記録する録画モードの場合の処理について、図９のフローチャートを用いて説明する。
【００６３】
ユーザインタフェース部７のリモコンなどのユーザ操作部をユーザが操作して録画モードを指定すると、制御部８は選択部４Ａ，４Ｂ，４Ｃを以下のように設定する（Ｓ３１）。つまり、選択部４Ａは伝送路復号部３の出力を出力するようし、選択部４Ｂは分離部５の出力を出力するようにし、選択部４Ｃは分離部５の出力を出力するように設定される。
【００６４】
この状態でデジタル放送番組の受信を開始すると、チューナ２、伝送路復号部３で処理されたＭＰＥＧ２―ＴＳは、選択部４Ａを介して分離部５へ出力される（Ｓ３２）。
【００６５】
分離部５は、ＰＣＲを抽出して時刻情報再生部６へ、映像と音声のＰＥＳ又はＥＳを抽出して選択部４Ｂを介して書き込み部１５及び選択部４Ｃを介して映像データ検出部１１へそれぞれ出力する（Ｓ３３）。
【００６６】
時刻情報再生部６は、ＰＣＲを利用し、放送局側の符号部のシステム・クロックとデジタル放送受信装置１のシステム・クロックと周波数の一致したＳＴＣを再現し、そのＳＴＣカウント値を復号部９及びリスト生成部１６へ出力する（Ｓ３４）。
【００６７】
映像データ検出部１１は、分離部５の出力であるトランスポートパケット、或いは映像のＰＥＳ又はＥＳから映像データの動画圧縮を行うためのグループ単位であるシーケンスヘッダ及び／又はＧＯＰ、或いはＩピクチャを検出し、その結果をリスト生成部１６へ出力する（Ｓ３５）。
【００６８】
リスト生成部１６は、時刻情報再生部６、映像データ検出部１１、及び後述する書き込み部１５からの情報を基に例えば図２に示す位置情報リストを作成し、書き込み部１５へ出力する（Ｓ３６）。
【００６９】
書き込み部１５は、分離部５からのトランスポートパケットを記録媒体１４に記録する処理を行うと共に、リスト生成部１６で生成された位置情報リストを記録媒体１４に記録する（Ｓ３７）。
【００７０】
以上、本発明の実施形態を説明したが、これらは本発明の説明のための例示であって、本発明の範囲をこの実施形態及び変形例にのみ限定する趣旨ではない。本発明は、他の種々のデジタル放送受信装置でも実施することが可能である。
【符号の説明】
【００７１】
１  デジタル放送受信装置
２  チューナ
３  伝送路復号部
４A、４B,４C  選択部
５  分離部
６  時刻情報再生部
７  ユーザインタフェース部
８  制御部
９  復号部
１０  符号部
１１  映像データ検出部
１２  リスト解析部
１３  読み出し部
１４  記録媒体
１５  書き込み部
１６  リスト生成部
【図１】
2010063133.tif 000003
【図２】
2010063133.tif 000004
【図３】
2010063133.tif 000005
【図４】
2010063133.tif 000006
【図５】
2010063133.tif 000007
【図６】
2010063133.tif 000008
【図７】
2010063133.tif 000009
【図８】
2010063133.tif 000010
【図９】
2010063133.tif 000011
【手続補正書】
【提出日】平成21年10月30日(2009.10.30)
【手続補正２】
【補正対象書類名】明細書
【補正対象項目名】００１１
【補正方法】変更
【補正の内容】
【００１１】
本発明の一実施態様に従う記録装置は、例えば特許請求の範囲に記載された技術的思想を用いればよい。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】特許請求の範囲
【補正対象項目名】全文
【補正方法】変更
【補正の内容】
【特許請求の範囲】
【請求項１】
送信された符号化デジタル信号が入力される入力手段と、
符号化されたデジタル信号を記録する記録手段と、
符号化されたデジタル信号を再度符号化する再符号化手段と、
符号化されたデジタル信号における映像データの符号化単位を示す符号化単位情報を検出する検出手段とを有し、
前記記録手段は、前記入力手段に入力された符号化デジタル信号の記録において、前記検出手段が検出した符号化単位情報と、当該入力された符号化デジタル信号を符号化した装置における時刻情報と、設定されたチャプタの位置を示すチャプタ設定情報とを関連付けた再生制御情報を記録し、
前記記録手段に記録した符号化されたデジタル信号を前記再符号化手段で再度符号化する場合、当該再度符号化されたデジタル信号に関する再生制御情報を前記入力された符号化デジタル信号を符号化した装置における時刻情報に基づき生成することを特徴とする記録装置。
【請求項２】
請求項１の記録装置であって、
前記符号化した装置における時刻情報は、前記入力手段に入力されるＰＣＲ（Program Clock Reference）またはＳＣＲ（System Clock Reference）に基づいて再生された時刻情報であることを特徴とする記録装置。
【請求項３】
請求項１又は２の記録装置であって、
前記再符号化手段は、前記記録手段に記録された符号化されたデジタル信号の符号化レートと異なる符号化レートで再度符号化を行うことを特徴とする記録装置。
【請求項４】
請求項１〜３のいずれかの記録装置であって、
前記符号化単位情報は、シーケンスヘッダ、ＧＯＰ（Group of Picture）、Ｉ（Intra）ピクチャ、Ｐ（Predictive）ピクチャ及びＢ（Bidirectionally）ピクチャのうちのいずれかであることを特徴とする記録装置。
【請求項５】
請求項１〜４のいずれかの記録装置であって、
前記生成された再度符号化されたデジタル信号に関する再生制御情報は、当該再度符号化されたデジタル信号の符号化単位情報と、前記符号化した装置における時刻情報に所定のオフセット値を加えたものとを関連付けた再生制御情報であることを特徴とする記録装置。
【請求項６】
送信された符号化デジタル信号を入力する入力ステップと、
符号化されたデジタル信号を記録する記録ステップと、
符号化されたデジタル信号を再度符号化する再符号化ステップと、
符号化されたデジタル信号における映像データの符号化単位を示す符号化単位情報を検出する検出ステップとを有し、
前記入力された符号化デジタル信号の記録において、前記検出した符号化単位情報と、当該入力された符号化デジタル信号を符号化した装置における時刻情報と、設定されたチャプタの位置を示すチャプタ設定情報とを関連付けた再生制御情報を記録し、
前記記録した符号化されたデジタル信号を前記再符号化ステップで再度符号化する場合、当該再度符号化されたデジタル信号に関する再生制御情報を前記入力された符号化デジタル信号を符号化した装置における時刻情報に基づき生成することを特徴とする記録装置。